(57)【要約】【課題】施工が容易で住宅設備を強固に任意の位置に固定できる固定構造を提供する。【解決手段】略水平方向へ開口Ｋが延設されるように建物の既存壁面１に固設されるレール部材３，４と、レール部材３，４内に係止される縦長の係止片１１と、係止片１１の長手方向の中心よりも一端側へ片寄った位置から略垂直方向へ突出されたネジ部１２を有する取付部材１０と、を備え、取付部材１０の係止片１１の長手方向を略水平にしレール部材の開口Ｋに挿入して、係止片１１の長手方向を自重により垂下状態にさせ、ネジ部１２に対し手すり本体１６をネジ１４で連結し、係止片１１と固定台座１３とでレール部材３，４を挟持して、手すり本体１６をレール部材３，４に固定する。【選択図】図５
2008297885.tif 000002
【特許請求の範囲】
【請求項１】
略水平方向へ開口部が延設されるように建物の既存内壁面に固設されるレール部材と、該レール部材内に係止される縦長の係止片と、該係止片の長手方向の中心よりも一端側へ片寄った位置から略垂直方向へ突出されたネジ部を有する取付部材と、を備え、
前記取付部材の係止片の長手方向を略水平にし前記レール部材の開口部正面からレール部材内へ挿入して、該係止片の長手方向を自重によりレール部材内で垂下状態にさせ、前記取付部材のネジ部に対し住宅設備をネジ連結し、
取付部材の係止片と住宅設備とで前記レール部材を挟持することで、前記住宅設備を前記レール部材に固定することを特徴とする住宅設備の固定構造。
【請求項２】
前記取付部材は、前記係止片と前記ネジ部とで略Ｔ字形状に形成されていることを特徴とする請求項１に記載の住宅設備の固定構造。
【請求項３】
前記取付部材のネジ部は、外周に雄ネジを形成したボルトで構成され、前記住宅設備は手すりであることを特徴とする請求項１または請求項２に記載の住宅設備の固定構造。
【発明の詳細な説明】
【技術分野】
【０００１】
本発明は、手すりや鏡等の住宅設備を壁面に固定する固定構造に関するものである。
【背景技術】
【０００２】
従来、特許文献１に開示されているように、トイレや浴室の壁に多数のスリット（レール）を形成したパネルを取り付け、パネルのレール溝に、ボルトを備えた長方形状のベースプレートを挿入し、ベースプレートを回転させてレール溝に係合させた後、ボルトに手すりを取り付ける固定構造がある。
また、特許文献２に開示されているように、レールの溝内をスライド移動可能な長方形の係止片とフック本体をネジ部で螺合し、係止片を両端がレール溝の上下に拡幅された係止溝部に当たるように回転させて、係止片とフック本体とでレールを挟持する固定構造がある。
また、特許文献３に開示されているように、化粧ボードの長溝内にハンガーの基端係止片を挿入させて、基端係止片を化粧ボード裏側の取付部材に回転させて嵌め込んでハンガーを取り付ける構造が存在する。
【特許文献１】特開２０００−３２８７５３号公報
【特許文献２】特開２００５−１３９８３０号公報
【特許文献３】特開昭５９−２８９１５号公報
【発明の開示】
【発明が解決しようとする課題】
【０００３】
上記特許文献１，特許文献２，特許文献３に開示されている構造では、壁面のスリット状の溝にベースプレートあるいは係止片あるいは基端係止片を水平状態にして正面側から挿入し、その状態で作業者がベースプレート，係止片，基端係止片をスリット状の溝に対し直交状態となるように回転させて施工する必要があり、後に手すり等をネジを締め付けて取り付ける際に、ベースプレート，係止片等が共回りし易いという問題点があった。
【課題を解決するための手段】
【０００４】
本発明は上記従来の問題点に鑑み案出したものであって、壁面への取付部材の施工が容易であり、取付部材に対し住宅設備を共回りすることなくネジ連結でき、施工が容易となる住宅設備の固定構造を提供するものであり、その請求項１は、略水平方向へ開口部が延設されるように建物の既存内壁面に固設されるレール部材と、該レール部材内に係止される縦長の係止片と、該係止片の長手方向の中心よりも一端側へ片寄った位置から略垂直方向へ突出されたネジ部を有する取付部材と、を備え、前記取付部材の係止片の長手方向を略水平にし前記レール部材の開口部正面からレール部材内へ挿入して、該係止片の長手方向を自重によりレール部材内で垂下状態にさせ、前記取付部材のネジ部に対し住宅設備をネジ連結し、取付部材の係止片と住宅設備とで前記レール部材を挟持することで、前記住宅設備を前記レール部材に固定することである。
【０００５】
また請求項２は、前記取付部材は、前記係止片と前記ネジ部とで略Ｔ字形状に形成されていることである。
【０００６】
また請求項３は、前記取付部材のネジ部は、外周に雄ネジを形成したボルトで構成され、前記住宅設備は手すりであることである。
【発明の効果】
【０００７】
本発明の住宅設備の固定構造は、略水平方向へ開口部が延設されるように建物の既存内壁面に固設されるレール部材と、該レール部材内に係止される縦長の係止片と、該係止片の長手方向の中心よりも一端側へ片寄った位置から略垂直方向へ突出されたネジ部を有する取付部材と、を備え、前記取付部材の係止片の長手方向を略水平にし前記レール部材の開口部正面からレール部材内へ挿入して、該係止片の長手方向を自重によりレール部材内で垂下状態にさせ、前記取付部材のネジ部に対し住宅設備をネジ連結し、取付部材の係止片と住宅設備とで前記レール部材を挟持することで、前記住宅設備を前記レール部材に固定することとしたため、取付部材の係止片を壁面に固設したレール部材の開口部に挿入すると、係止片が自重によりレール部材内で自然に垂下状態となる。即ち、レール部材の開口部に対し直交状態に係止片が垂設されることとなり、これにより取付部材がレール部材から抜脱することがなく、取付部材のネジ部に対し住宅設備をネジ連結して、取付部材の係止片と住宅設備でレール部材を挟み込んで強固にレール部材に住宅設備を固定することができるものとなり、住宅設備をネジ連結する際に取付部材が共回りすることがなく、施工が容易なものとなる。
【０００８】
また、前記取付部材は、前記係止片と前記ネジ部とで略Ｔ字形状に形成されていることにより、取付部材の係止片をレール部材に水平状態にして挿入すると、ネジ部を中心として両端へ延びるように形成された係止片の両端部がレール部材の上レールの後当接片および下レールの後当接片に当接状態となり、取付部材のレール部材からの抜脱が防がれ、施工が容易なものとなる。また、係止片と住宅設備でレール部材を強固に挟持することができる。
【０００９】
また、前記取付部材のネジ部は、外周に雄ネジを形成したボルトで構成され、前記住宅設備は手すりであることにより、取付部材の係止片をレール部材内に垂下状態にさせた後、レール部材から突出するネジ部に対してナットを締め付けて、手すりを強固にレール部材に固定することができるものとなる。
【実施例】
【００１０】
以下、本発明の実施例を図面に基づいて説明する。
図１は、トイレ等の既存壁面に、レール部材と、下地板と、化粧材を施工する状態を示すものである。
トイレ等の既存壁面１の裏側には、間隔をおいて間柱２，２，２が設けられており、この既存壁面１の表側に、床面５側から上方に向かって所定間隔でレール部材を施工してゆく。
レール部材は、上レール３と下レール４を組み合わせて施工することにより、上レール３と下レール４間に開口Ｋが略水平方向に延設されてゆく。
【００１１】
床面５側の建築幅木６上に先ず上レール３を水平に施工し、この上レール３の上方に間隔をおいて、水平に下レール４と上レール３を組み合わせて施工し、更に、上方に間隔をおいて、下レール４と上レール３を組み合わせて施工してゆき、天井側では、上レール３の上下を引っくり返した状態にして天井に上レール３が当たる状態に施工してゆく。
【００１２】
上レール３と下レール４を組み合わせて施工した状態は、図２の拡大図で示す。
なお、上レール３は、図３に拡大断面図で示すような断面形状となっており、また、下レール４は、図４に拡大断面図で示すような断面形状に形成されて、それぞれ水平方向に長く延びる押出成形品で成形されている。
【００１３】
先ず、上レール３を図３に基づき説明すると、上レール３の下端には略水平状に開口片３ａが形成されており、開口片３ａの前端で上方へ垂直に突出する前当接片が立設され、開口片３ａの後端には後当接片３ｃが立設されており、後当接片３ｃの上端では後方側へ水平に折り曲げて折曲片３ｄが形成され、折曲片３ｄの後端で更に上方へ立ち上がる前溝片３ｅが形成されており、前溝片３ｅと平行状に前溝片３ｅの後方に垂下状に後溝片３ｆが形成され、後溝片３ｆの上端は上方へ立設されて固定片３ｇとなっており、この固定片３ｇには貫通状にネジ孔３ｈが形成されている。また、固定片３ｇと後溝片３ｆの接合部分から前方側へ水平に延びて連結片３ｉが形成されており、この連結片３ｉには前溝片３ｅの上端が接合されている。また、この連結片３ｉと平行状に固定片３ｇの上端から前方向に水平に延びて上片３ｊが形成されており、上片３ｊには上方へ起立したガイド突片３ｋが一体形成されている。
【００１４】
一方、下レール４は図４に示すように、前記上レール３の開口片３ａとの間で開口Ｋを形成することのできる開口片４ａが略水平に形成されており、開口片４ａの前端では垂下状に前当接片４ｂが形成され、開口片４ａの後端には垂下状に後当接片４ｃが形成されており、後当接片４ｃの下端では後方側へ水平に延びて連結片４ｄが形成され、連結片４ｄの後端には垂直な固定片４ｅが接合されており、固定片４ｅの連結片４ｄよりも下方側には貫通状に下ネジ孔４ｆが形成されている。また、固定片４ｅの下端には連結片４ｄと平行状に前方側へ水平に延びる底片４ｇが形成されている。また、固定片４ｅの上端側には上ネジ孔４ｈが貫通形成されており、上ネジ孔４ｈよりも上方で前方側へ傾斜状に折り曲げて折り曲げ段部４ｉが形成され、折り曲げ段部４ｉから上方へ突出して係入片４ｊが一体形成されている。また、前記底片４ｇの下面には、垂下状に突出したガイド突片４ｋが一体形成されている。
【００１５】
図２および図５に示すように、下レール４の下ネジ孔４ｆと上ネジ孔４ｈにそれぞれ正面側からビスＢを挿入し、ビスＢを既存壁面１を通して間柱２に締め付けて、横方向に間隔をおいて形成されている各下ネジ孔４ｆ，上ネジ孔４ｈにそれぞれビスＢを締め付けて間柱２，２，２を介して既存壁面１の表面に下レール４を強固に水平状態に固設することができ、この固設状態では、下レール４の固定片４ｅが既存壁面１に当接固定されるものである。
【００１６】
下レール４を固設した後に、上レール３を既存壁面１に固定するのであるが、この場合、下レール４の係入片４ｊを、上レール３の前溝片３ｅと後溝片３ｆ間の隙間内に挿入して良好に位置決めすることができ、その状態で上レール３のネジ孔３ｈ内にビスＢを入れ、複数のビスＢをそれぞれ間柱２，２に締め付けて、上レール３を既存壁面１に強固に水平状態に固定することができ、この下レール４と上レール３の固設状態では、下レール４の開口片４ａの上方に平行状に上レール３の開口片３ａが配置され、下レール４の開口片４ａと上レール３の開口片３ａ間に水平方向に延びる開口Ｋが形成されることとなる。
この開口Ｋから奥側を見た場合は、下レール４の立ち上がる固定片４ｅのみが視認されて、下レール４と上レール３の連結部分は見えないため、すっきりとした設置状態が得られるものである。
【００１７】
このように、既存壁面１に対し下レール４と上レール３を組み合わせ、上下方向に間隔をおいてそれぞれ水平に延びる開口Ｋ，Ｋを形成させておく。
なお、組み合わせた下レール４と上レール３には、それぞれ垂直方向に突出してガイド突片３ｋ，４ｋが形成されており、このガイド突片３ｋ，４ｋが遊挿される凹溝７ａがそれぞれの下地板７の上端縁および下端縁に形成されている。
図１のように、下地板７の上端の凹溝７ａ内に下レール４のガイド突片４ｋを挿入させ、また下地板７の下端の凹溝７ｂには、上レール３のガイド突片３ｋを挿入させ、下地板７をガイド突片３ｋ，４ｋにガイドさせて良好に横方向へスライドさせて、レール部材間に嵌め込んでゆくことができる。
【００１８】
このようにして、レール部材間に複数枚の下地板７をそれぞれスライドさせて配置させた後に、下地板７の表面には化粧材８を貼着して施工することができる。
化粧材８は横方向に長い化粧材であっても、また大面積の正方形状あるいは長方形状の化粧材であっても、更には、タイルであっても良く、好みに応じて化粧材８を貼着することで、トイレ内の壁面を良好に装飾することができるものである。なお、化粧材８の裏面には、例えば両面テープを貼着しておき、この両面テープを介して化粧材８を下地板７の表面に貼着施工することができるものである。
【００１９】
なお、トイレの一壁面全面に下地材７および化粧材８を施工する場合の他に、トイレの壁面に部分的に化粧板７および化粧材８を施工する場合等には、下地板７および化粧材８の端部の見栄えが悪くなるため、この端部には、金属または樹脂で縦長板状に形成した見切り材９を固設し、端部の化粧処理を行う。
この縦長の見切り材９の前端には、上下方向に間隔をおいて横方向に突出して耳部９ａ，９ａ，９ａが一体形成されており、この耳部９ａを、下地板７および化粧材８の端側の表面に当接させて、耳部９ａ，９ａに正面から釘を打ち、釘により下地板７にそれぞれ見切り材９を固定してゆくことができるものである。
【００２０】
このようにして、壁面を化粧処理し、形成されている開口Ｋに対して、手すりや鏡、あるいは、ペーパーホルダーや照明器等の住宅設備を取り付けることができ、開口Ｋは水平方向へ延設されているため、この開口Ｋに沿って水平方向にスライドさせることで、任意の好みの位置に、手すりや鏡等の住宅設備を取り付けることができるものとなる。
【００２１】
図５では、手すりを取り付ける際の分解図を示しており、図６では、手すりを取り付けた状態を示している。
手すりを取り付ける場合には、図７の側面図で、また図８の正面図で示す取付部材１０が用いられる。
即ち、この取付部材１０は、図７，８に示すように、縦長ブロック状の係止片１１と、係止片１１から前方向に垂直に突出するネジ部１２が一体化されて、側面視略Ｔ字形状に形成されたものである。
係止片１１は上端１１ａと下端１１ｂ間の距離Ｌ１が４０ｍｍに設定されており、この係止片１１の上下方向の中心よりも上端１１ａ側の位置からネジ部１２が一体状に突出形成されており、ネジ部１２の中心と上端１１ａ間の距離Ｌ２は１５ｍｍに設定されている。なお、ネジ部１２は外周に雄ネジ１２ａを形成したボルトで構成されている。なお、このネジ部１２の突出長さは４４ｍｍ程度に設定されている。
【００２２】
この図７および図８に示すボルトタイプの取付部材１０を施工する際に、取付部材１０の係止片１１を略水平にすると、レール部材の開口Ｋ内に正面側から挿入することができる。
開口Ｋ内に正面側から水平方向にした係止片１１を挿入させて手を離すと、係止片１１は下端１１ｂ側がネジ部１２からの長さが長いために重くなっており、自然に下端１１ｂ側が下方側へ向かって自重で回転し、自然に係止片１１は上レール３と下レール４内で垂直状態となる。即ち、開口Ｋに対し直交状態となり、この状態では係止片１１は上端１１ａ側が上レール３の後当接片３ｃに当接し、下端１１ｂ側は下レール４の後当接片４ｃに当接されて、前方側への抜脱が防止された状態となる。
【００２３】
この状態で、開口Ｋから室内側に向かって略水平にネジ部１２が突出されて配置されるので、このネジ部１２に対して室内側から固定台座１３を挿入して取り付ける。
即ち、固定台座１３は、略円板状の本体部１３ａの中央部から前方側へ突出した支持筒部１３ｂが一体形成されており、支持筒部１３ｂおよび本体部１３ａの中心部には、横方向に貫通して中心孔１３ｃが形成されており、この中心孔１３ｃ内にネジ部１２を挿入させることができるものである。
なお、支持筒部１３ｂには、中心孔１３ｃと直交する方向に貫通して、ネジ孔１３ｄが形成されている。
【００２４】
図５のように、取付部材１０のネジ部１２に固定台座１３を取り付けた後に、ネジ部１２の先端にナット１４を締め付けると、固定台座１３の本体部１３ａの裏面が上レール３の前当接片３ｂおよび下レール４の前当接片４ｂに当接状態となり、ナット１４を締め付けることにより、上レール３および下レール４を取付部材の係止片１１と固定台座１３の本体部１３ａで挟み付けることとなり、上レール３および下レール４に強固に固定台座１３が固定されることとなる。
【００２５】
このように、強固に固定台座１３を取り付けた後に、固定台座１３の本体部１３ａの表面に椀状の椀座１５を嵌め込み、固定台座１３の支持筒部１３ｂに対して手すり本体１６を取り付けることができる。
手すり本体１６はパイプ状に形成されており、その内部に雌ネジ部１６ａが形成されており、また、手すり本体１６の外側に取り付けられる筒状の差込筒部１７の内部には仕切部１７ａが一体形成されており、固定ネジ１８を仕切部１７ａに当接させ、固定ネジ１８を雌ネジ部１６ａに締め付けることで、手すり本体１６と差込筒部１７が一体化されており、差込筒部１７には貫通状にネジ孔１７ｂが形成されている。
この差込筒部１７を固定台座１３の支持筒部１３ｂの外周に差し込むと、支持筒部１３ｂのネジ孔１３ｄと差込筒部１７のネジ孔１７ｂが整合し、この状態でネジ孔１７ｂ，１３ｄに外側から手すり固定ネジ１９を締め込むと、差込筒部１７は支持筒部１３ｂに強固に固定されることとなり、図６に示すような手すり本体１６の強固な取付状態が完成する。
【００２６】
この図６のような手すり本体１６の固定構造では、手すり本体１６に上下方向あるいは左右方向等、あらゆる方向からの力が加わった場合にも、手すり本体１６の強度が確保されるものであり、良好に手すり１６に体重をかけて使用することができるものとなる。このようにして、手すり本体１６を開口Ｋに沿う任意の位置に強固に設置することができ、ナット１４を締め付ける際にも、係止片１１は垂下状態になっているため、共回りすることもなく、取付施工が容易に行えるものである。
【００２７】
なお、取付部材１０は、図９の概略側面図で示すように、側面視Ｌ型のものであっても良く、図９では、係止片１１の上端１１ａから前方へ向かって垂直にボルトで構成されるネジ部１２が突出形成されたものである。
図９のようなＬ形状の取付部材１０であっても、係止片１１を水平方向にして開口Ｋ内に挿入すると、自重により係止片１１は自然に垂下状態に回転されることとなり、施工が容易なものとなる。
【００２８】
なお、更に、取付部材１０は、図１０の側面一部断面図で、図１１の正面図で示すような構造のものであっても良い。
即ち、図１０，図１１に示す取付部材１０は、係止片１１から突出してナット状のネジ部１２がＴ字形状に一体形成されたものであり、ネジ部１２の内周に雌ネジ１２ｂが形成されている。
なお、この図１０，図１１においても、ネジ部１２は係止片１１の上端１１ａ側に偏った位置に突出されており、図１１における下端１１ｂからネジ部１２間の距離Ｌ３は２５ｍｍに設定され、またネジ部１２から上端１１ａ間の距離Ｌ４は１５ｍｍに設定されている。
【００２９】
このようなナットタイプの取付部材１０は、例えば鏡等を取り付ける際に用いられるものであり、雌ネジ１２ｂに正面側からネジ等を締め付けて、良好に取付部材１０に鏡等を固定できるものである。このような取付部材１０においても、係止片１１を水平状態にして開口Ｋ内に挿入すると、自重で係止片１１が垂直方向に回転され、施工が容易なものとなる。
【００３０】
更に、このようなナットタイプの取付部材１０は、図１２に概略側面図で示すように、Ｌ字状に形成しても良い。
即ち、図１２では、係止片１１の上端１１ａから前方側へ突出して、内周に雌ネジ１２ｂを形成したネジ部１２がＬ字状に一体形成されたものである。
この図１２のようなＬ字形状のナットタイプの取付部材１０を用いる場合にも、係止片１１を水平にして開口Ｋ内に挿入すると、係止片１１は自重により垂下状態となり、抜脱が防がれるため、ネジ部１２にネジを締め付ける際にも共回りすることがなく、施工が容易なものとなる。
【００３１】
なお、その他、ペーパーホルダーや照明器等を取り付ける際にも、同様な固定構造を採用することにより、施工が容易で、且つ、取付強度を確保することができるものとなる。
なお、本例では、トイレ壁面に住宅設備を固定する構造を例示しているが、トイレの壁面に限らず、浴室等の壁面にも同様な構造で住宅設備を任意の位置に強固に固定することができるものである。
【図面の簡単な説明】
【００３２】
【図１】既存壁面にレール部材と下地板と化粧材を施工する施工図である。
【図２】レール部材を構成する上レールと下レールを組み合わせて施工した状態の要部拡大斜視構成図である。
【図３】上レールの拡大断面図である。
【図４】下レールの拡大断面図である。
【図５】レール部材に取付部材を取り付けて、取付部材に対し手すりを取り付ける際の分解構成図である。
【図６】手すりの取付完了状態の断面構成図である。
【図７】取付部材の側面構成図である。
【図８】取付部材の正面構成図である。
【図９】Ｌ字形状の取付部材の側面概略構成図である。
【図１０】ナットタイプの取付部材の一部断面側面構成図である。
【図１１】図１０の正面構成図である。
【図１２】Ｌ字形状に形成したナットタイプの取付部材の概略側面構成図である。
【符号の説明】
【００３３】
１  既存壁面
２  間柱
３  上レール
３ａ  開口片
３ｂ  前当接片
３ｃ  後当接片
３ｇ  固定片
３ｈ  ネジ孔
３ｋ  ガイド突片
４  下レール
４ａ  開口片
４ｂ  前当接片
４ｃ  後当接片
４ｅ  固定片
４ｆ，４ｈ  ネジ孔
４ｊ  係入片
５  床面
６  建築幅木
７  下地板
７ａ，７ｂ  凹溝
８  化粧材
９  見切り材
９ａ  耳部
１０  取付部材
１１  係止片
１２  ネジ部
１２ａ  雄ネジ
１２ｂ  雌ネジ
Ｋ  開口
【図１】
2008297885.tif 000003
【図２】
2008297885.tif 000004
【図３】
2008297885.tif 000005
【図４】
2008297885.tif 000006
【図５】
2008297885.tif 000007
【図６】
2008297885.tif 000008
【図７】
2008297885.tif 000009
【図８】
2008297885.tif 000010
【図９】
2008297885.tif 000011
【図１０】
2008297885.tif 000012
【図１１】
2008297885.tif 000013
【図１２】
2008297885.tif 000014